(57)【特許請求の範囲】
【請求項１】
容器本体内にラップフィルムロールを回転可能に収納するとともに、このラップフィルムロールから引き出したラップフィルムをカットする手段として、上記容器本体の正面板の上縁に、スライドカッターユニットを着脱自在に装着してなる構造のラップフィルム収納ケースにおいて、
上記スライドカッターユニットは、ガイド溝に沿ってスライド可能に設けた刃部を有し、
上記ガイド溝の端部側に位置する刃部用スライドストッパーを、上記容器本体側に一体に設けたこと
を特徴とするラップフィルム収納ケース。
【請求項２】
上記刃部用スライドストッパーは、上記容器本体の側面板の正面側縁部を上記ガイド溝の端部と対向する位置まで延長形成してなる構造であること
を特徴とする請求項１に記載のラップフィルム収納ケース。
【発明の詳細な説明】
【０００１】
【発明の属する技術分野】
本発明は、食品の保存等に用いられるラップフィルムのロール体（以下「ラップフィルムロール」という）を収納するためのラップフィルム収納ケースに関する。
【０００２】
【従来の技術】
従来、この種のラップフィルム収納ケースとしては、図３に示したように、容器本体１内にラップフィルムロールＦＲを回転可能に収納するとともに、このラップフィルムロールＦＲから引き出したラップフィルムＦをカットする手段として、その容器本体１の正面板１００の上縁に、スライドカッターユニット２を着脱自在に装着したものがある。
【０００３】
同図のスライドカッターユニット２は、ガイド溝４に沿ってスライド可能に設けた刃部（図示省略）を有し、この刃部のスライドによりラップフィルムＦはフィルム幅方向にカットされる。
【０００４】
しかしながら、上記のような構造のスライドカッターユニット２によると、ガイド溝４の端部４ａ、４ｂからの刃部の脱落を防止する手段として、そのガイド溝４の端部４ａ、４ｂにスライドストッパー９、９が一体に取り付け固定されている。このため、当該刃部を交換する際は、このスライドストッパー９、９をガイド溝４の端部４ａ、４ｂから取り外さなければならず、簡単に刃部を交換することはできない等の問題点があった。
【０００５】
【発明が解決しようとする課題】
本発明は上記問題点を解決するためになされたもので、その目的とするところは、スライドカッターユニットの刃部を手間なく簡単に交換できるようにしたラップフィルム収納ケースを提供することにある。
【０００６】
【課題を解決するための手段】
上記目的を達成するために、本発明は、容器本体内にラップフィルムロールを回転可能に収納するとともに、このラップフィルムロールから引き出したラップフィルムをカットする手段として、上記容器本体の正面板の上縁に、スライドカッターユニットを着脱自在に装着してなる構造のラップフィルム収納ケースにおいて、上記スライドカッターユニットは、ガイド溝に沿ってスライド可能に設けた刃部を有し、上記ガイド溝の端部側に位置する刃部用スライドストッパーを、上記容器本体側に一体に設けたことを特徴とするものである。
【０００７】
本発明において、上記刃部用スライドストッパーについては、上記容器本体の側面板の正面側縁部を上記ガイド溝の端部と対向する位置まで延長形成してなる構造を採用することができる。
【０００８】
本発明では、容器本体側からスライドカッターユニットを取り外すと、そのスライドカッターユニットのガイド溝の端部はスライドストッパーのない開放の状態となり、この開放状態のガイド溝端部から古い刃部を抜き取る等、刃部の交換作業を行うことが可能となる。
【０００９】
【発明の実施の形態】
以下、本発明に係るラップフィルム収納ケースの実施形態について図１および図２を基に詳細に説明する。
【００１０】
図１は本発明の一実施形態であるラップフィルム収納ケースの全体を示した斜視図、図２は図１に示したラップフィルム収納ケースの要部の説明図であり、これらの図を用いて本実施形態のラップフィルム収納ケースを説明する。
【００１１】
本実施形態のラップフィルム収納ケースは、ラップフィルムロールＦＲを回転可能に収納する容器本体１と、そのラップフィルムロールＦＲから引き出したラップフィルムＦをカットする手段としてのスライドカッターユニット２とから構成されている。
【００１２】
上記容器本体１は、正面板１００、背面板１０１、左右両側面板１０２、１０２、底面板１０３および上面板１０４からなる直方体の箱型形状に形成され、その正面板１００の上縁に、上記スライドカッターユニット２が着脱自在に装着される構造となっている。
【００１３】
また、本実施形態の容器本体１においては、▲１▼その上面板１０４を開閉可能なフタとして設ける構造と、▲２▼スライドカッターユニット２のサイズに合わせて容器本体１の正面板１００の上縁を側面板１０２の上縁より低く形成することで、正面板１００の上縁と上面板１０４との間に、スライドカッターユニット２が無理なく収まる構造を採用している。
【００１４】
図２に示したように、スライドカッターユニット２の下部側は二股に分岐した形状となっており、このような下部側の二股形状部３を上記容器本体１の正面板１００の上縁に差し込むことにより、このスライドカッターユニット２は容器本体１の正面板１００の上縁に着脱自在に装着される。
【００１５】
スライドカッターユニット２の上部面にはガイド溝４が形成されており、このガイド溝４にはこれに沿ってスライド可能に刃部５が設置されている。この種の刃部５のスライド構造については各種考えられるが、本実施形態においては、そのスライド構造として、ガイド溝４の外部に位置するスライドノブ６とガイド溝４の内部に摺動可能に設けた摺動子７とを一体に連結し、この連結部８に刃部５を装着固定することで、スライドノブ６や摺動子７と一体に刃部５がガイド溝４に沿ってスライドする構造を採用している。
【００１６】
なお、スライドカッターユニット２を容器本体１の正面板１００の上縁に装着した際、このスライドカッターユニット２のガイド溝４は、容器本体１の正面板１００の上縁と略平行に配置される。したがって、スライドカッターユニット２のスライドノブ６をガイド溝４の一端部４ａから他端部４ｂに向って移動させると、このスライドカッターユニット２の刃部５は容器本体１の正面板１００の上縁と略平行にガイド溝４に沿ってスライドすることができる。
【００１７】
本実施形態においても、上記のようなスライドカッターユニット２のガイド溝４の両端部には、その両端部からの刃部５の脱落を防止する手段として、刃部用スライドストッパー９が配置されるが、本実施形態の場合、この刃部用スライドストッパー９（以下「スライドストッパー」と略称する。）は、容器本体１の左右両側面板１０２、１０２に一体に設けられている。
【００１８】
この種のスライドストッパー９を容器本体１の側面板１０２に一体に設ける構造については各種考えられるが、本実施形態では、容器本体１の側面板１０２の正面側縁部をガイド溝４の端部と対向する位置まで延長形成し、このような側面板１０２の正面側縁部延長片１０２−１を刃部５のスライドストッパー９として適用する構造を採用している。
【００１９】
ここで、本実施形態のラップフィルム収納ケースの構成材料についてまとめて説明すると、本実施形態の場合、容器本体１やこれに一体に設けたスライドストッパー９（側面板１０２の正面側縁部延長片１０２−１）は厚紙からなり、スライドカッターユニット２については、金属製の刃部５を除き、すべてプラスチックから構成されている。
【００２０】
次に、上記の如く構成された本実施形態のラップフィルム収納ケースの使用例について図１および図２を用いて説明する。
【００２１】
本実施形態のラップフィルム収納ケースにおいて、図１に示したように容器本体１内に収納されているラップフィルムＦを使用するときは、まず、容器本体１の上面板１０４を開け、次に、容器本体１内のラップフィルムロールＦＲからラップフィルムＦを使用する量だけ引き出す。
【００２２】
このとき、ラップフィルムＦは、スライドカッターユニット２の上面を通って容器本体１の正面板１００手前側に引き出される。また、このように引き出されたラップフィルムＦはその一部分がスライドカッターユニット２の上面と密着するようにセットされる。
【００２３】
そして、上記のようなラップフィルムＦの引き出しセット状態において、スライドカッターユニット２のスライドノブ６をガイド溝４の一端部４ａから他端部４ｂに向って移動させると（図２参照）、スライドカッターユニット２の刃部５が容器本体１の正面板１００の上縁と略平行にガイド溝４に沿ってスライドし、この刃部５のスライドにより、ラップフィルムＦはそのフィルム幅方向にカットされる。
【００２４】
ところで、ガイド溝４の一端部４ａから他端部４ｂに向ってスライドする刃部５は、ガイド溝４の他端部４ｂまでスライドした時点でスライドストッパー９、すなわち側面板１０２の正面側縁部延長片１０２−１に当接し、これより先に刃部５はスライドできないから、ガイド溝４の他端部４ｂから刃部５が脱落することはない。ガイド溝４の他端部４ｂから一端部４ａに向って刃部５がスライドするときも同様である。
【００２５】
ここで、本実施形態のラップフィルム収納ケースにおいて、容器本体１側に装着されているスライドカッターユニット２の刃部５を交換する作業について説明する。
【００２６】
本実施形態のラップフィルム収納ケースの場合、上記のようなスライドカッターユニット２のガイド溝４両端に位置するスライドストッパー９は容器本体１側に一体に設けられている。このため、容器本体１側からスライドカッターユニット２を取り外すと、そのスライドストッパー９は容器本体１側に置き去りとなるから、このように取り外したスライドカッターユニット２において、そのガイド溝４の端部はスライドストッパー９のない開放の状態となる。よって、本実施形態のラップフィルム収納ケースによると、容器本体１側からスライドカッターユニット２を取り外すという簡単な作業を行うのみで、ガイド溝４端部から古い刃部５を抜き取る等、刃部５の交換作業を容易に行うことができる。
【００２７】
【発明の効果】
本発明に係るラップフィルム収納ケースにあっては、上記の如く、スライドカッターユニットのガイド溝端部側に位置する刃部のスライドストッパーを、容器本体側に一体に設ける構成を採用したため、容器本体側からスライドカッターユニットを取り外すという簡単な作業を行うのみで、スライドカッターユニットのガイド溝端部がスライドストッパーのない開放の状態となり、この開放状態のガイド溝端部から古い刃部を抜き取る等、刃部の交換作業を容易に行うことができる等の効果を奏する。
【図面の簡単な説明】
【図１】本発明の一実施形態であるラップフィルム収納ケースの全体斜視図。
【図２】図１に示したラップフィルム収納ケースの要部の説明図。
【図３】従来のラップフィルム収納ケースの全体斜視図。
【符号の説明】
１  容器本体
２  スライドカッターユニット
３  二股分岐部
４  ガイド溝
５  刃部
６  スライドノブ
７  摺動子
８  連結部
９  スライドストッパー
１００  正面板
１０１  背面板
１０２  側面板
１０２−１  側面板の正面側縁部延長片
１０３  底面板
１０４  上面板
Ｆ  ラップフィルム
ＦＲ  ラップフィルムロール
【図１】
0004703920.tif 000002
【図２】
0004703920.tif 000003
【図３】
0004703920.tif 000004